(57)【要約】【課題】    一連の文章を特別な訓練や才能を必要とせずに速読することが出来る方法の提供。【解決手段】  文章の文字配列を変換して１行２が２文字〜８文字とし、この文字１，１・・・配列で構成した縦列群３を上から下方へ視線を動かすことで内容を読み取ることが出来る速読方法である。【選択図】    図２
2011138234.tif 000002
【特許請求の範囲】
【請求項１】
一連の文章を速読する方法において、該文章の文字配列を変換して１行が２文字〜８文字とし、この文字配列で構成した縦列群を上から下方へ視線を動かすことで内容を読み取ることを特徴とする文章の速読方法。
【請求項２】
一連の文章を速読する為に変換される文章の配列形態において、１行が２文字〜８文字として縦方向に配列した縦列群を構成したことを特徴とする速読文章の配列形態。
【請求項３】
上記縦列群を１ページに所定の間隔をおいて複数設けた請求項２記載の速読文章の配列形態。
【発明の詳細な説明】
【技術分野】
【０００１】
本発明は各種の文章、例えば小説、論文、社説などの文章を短時間で速読することが出来る方法、及び速読する為の文字及び文章の配列形態に関するものである。
【背景技術】
【０００２】
今日の文明社会では文章に接する機会は多く、朝一番で新聞を読み、会社では上司ともなれば部下からの報告書類が届いて、一々目を通さなくては成らない。又、仕事以外では趣味で小説を読んだり社説を読むことも多い。しかし、これら数多くの文章を限られた時間内で読むことには無理がある。従って、ついつい目を通さないで放置してしまう場合も多い。
【０００３】
しかし、仕事ともなれば全く目を通さないでおくことは出来ず、結果として体に無理をかけることになる。そこで、あらゆる文章を短時間で読むことが出来るならばより多くの書類に目を通すことが出来ると共に、体に無理をかけることも少ない。ところで、従来では文章の速読方法なるものが知られているが、誰にでも直ぐに出来る方法ではない。
【０００４】
勿論、訓練が必要となり、しかし同じ訓練をしても出来る人と出来ない人が発生し、人の才能に大きく左右されることが大きい。昔から、速読の一般的な方法として斜め読み方法は知られているが、この斜め読みに関して具体的な手法がある訳ではなく、その為に熟練とかなりの経験が必要であり、一般人が斜め読みしてもその全内容をすぐさま正確に理解することは不可能である。
【０００５】
例えば、特開２００９−１１５８５９号に係る「速読訓練法」は、従来の方法に比べて、極めて短い訓練時間で遥かに優れた速読能力を容易に体得できる速読訓練法である。すなわち、音源から発する意味のない一定のリズムの音を、単位時間当りの音の数を段階的に増やしつつ聞かせながら、テキストの文章を読ませる速読訓練法が知られている。しかし、この発明もタイトルにあるように速読訓練法であり、ある程度の時間をかけて自らを訓練しなくては成果が得られない。
【０００６】
特開２００９−２１０９９８号に係る「読解及び復習支援装置、文章移動表示プログラム、それらの利用方法、及びコンピュータに読み取り可能な記録媒体」は、学習者が一度学習を行った後、未習得事項を箇条書きにして、コンピュータに保存した文章が、復習を行わずに数週間を経ると、学習直後には十分理解できていた文脈を忘れかかるなどして、通常の読み方では非常に読みにくくなり、復習する気がしなくなる場合が多い。しかしそのような事項は、忘れかかった頃に再読されることなしには学習者の記憶に実用的な知識として定着しがたい。
【０００７】
本発明プログラムは、コンピュータを、文章内部分部分における、個々学習者にとっての読みにくさ読みやすさの変化に応じ、その各部分に対し、学習者による理解が成立するまでに必要な待ち時間を、学習者に機敏かつ頻繁に、積極的に変化させつつ確保させるような読み方を行わせ、結果、文章内のほぼすべての部分に対して曖昧な理解を生じない速読を行わせる手段として機能させることができ、またそのような読み方の習慣を学習者に習得させようとする方法である。
【０００８】
しかし、この発明は学習を対象としたもので、新聞、小説、雑誌、社説などを対象とした速読方法とは違い、本発明からかけ離れた技術思想である。
【特許文献１】特開２００９−１１５８５９号に係る「速読訓練法」
【特許文献２】特開２００９−２１０９９８号に係る「読解及び復習支援装置、文章移動表示プログラム、それらの利用方法、及びコンピュータに読み取り可能な記録媒体」
【発明の開示】
【発明が解決しようとする課題】
【０００９】
このように、従来の速読方法には上記のごとき問題がある。本発明が解決しようとする課題はこの問題点であり、特別な才能に依存することなく、又訓練も必要とせず、誰にでも速く読むことが出来る速読方法、並びに速読する為の文章を構成する文字の配列形態を提供する。
【課題を解決するための手段】
【００１０】
本発明に係る速読方法は、一行の文字数を２〜８文字とすることで記載している内容を速く読み取ることが出来る方法である。そこで、一般には一行が３０字〜４０字で構成している文章を一行が２文字〜８文字の縦列群になるように文字の配列変換を行う。元々、新聞のように縦表記している文字配列の場合にも、同じように１行が２文字〜８文字に成るように配列変換を行なう。２字〜８字で構成される１行の文句は視線を水平方向に動かすことなく理解することが出来る。そこで、縦列群を上から下方へ視線を移動することで一連の文章の内容を理解することが可能である。
【００１１】
そして、２字〜８字で構成される縦列群は１ページに複数郡設けることが出来、すなわち、１ページに複数の縦列群が所定の間隔をおいて表記することは可能である。ここで、所定の間隔とは縦列群で構成される文章を速読する際に、隣りの縦列群が気にならない間隔が必要であり、特に限定はしないが出来れば１字〜３字分の空間があれば十分である。
【発明の効果】
【００１２】
本発明では、長い文章を一行が２字〜８字で構成される縦列群に変換することで、従来の文書形態に比較して少なくとも数分の１の時間で速読することが可能と成る。これは、２字〜８字程度の文句は視線を動かすことなくその内容が理解されることから、この文字配列形態で構成した文章は視線を上から下方へ移動するだけで文章の内容を正確に理解することが可能と成る。
【００１３】
このように２字〜８字の縦列群を１ページに所定の間隔をおいて複数郡表示されるが、間に間隔をおいている為に読み難くなることはない。また、本発明の速読方法は縦列群を上から下方へ視線を動かすことでその内容を誰にでも正確に理解することが出来るが、特別な訓練を必要とせず、しかも速読するに際して神経を集中しなくても出来ることから、疲れは少ない。
【００１４】
最近、書籍、新聞、雑誌を講読することが出来る電子書籍が普及しつつある。又、電子書籍端末も販売され、書籍や新聞、雑誌などを取り込むことが可能となり、この場合に本発明を利用することで、受信した文章や電子書籍の文字配列を変換して短時間で速読することが出来る。
【図面の簡単な説明】
【００１５】
【図１】従来の一般的な文章の配列形態。
【図２】本発明に係る文章の配列形態。
【図３】本発明に係る文章の配列形態。
【発明を実施するための形態】
【００１６】
図１は従来の文書形態を示している具体例である。同図では○をもって１文字１とし、一行２には３６文字１，１・・・・が配列し、そして３０行を有している。従って、１ページは１０８０文字１，１・・・で構成されており、この１０８０文字１，１・・・から成る文章を読む場合、各行２，２・・・ごとに左側から右側へ視線を移動させて読み取ることが出来る。そして、所定の行２を読み終えたならば、下段の行２へ移って同じように左側から右側へ視線を移動して読み取る。
【００１７】
これを繰り返して１ページの文章を読み終えて次のページに移る。次のページも上段の行２から下方へ移動しながら同じように各行２，２・・・ごとに読み取ることが出来る。各行２の各文字１，１・・・間の間隔が小さい場合、そして各行２，２・・・間の間隔が小さい場合には非常に読み難く、長時間にわたって読んでいると疲れる。勿論、読みにくい為に速く読むことは出来ない。特に、文字１，１・・・が小さい場合にはなおさらである。
【００１８】
ところで、本発明では図２に示すように電子書籍などに記載されている文字１，１・・・の配列形態を変更し、１行２を３文字１，１，１で構成した配列形態としている。例えば、前記図１の１ページには１行２が３６文字１，１・・・と成っているが、これを図２に示す配列形態に変換するならば、１行３６文字１，１・・・は１２行に変換される。そして、３文字３６行で１縦列群３を構成するならば、１０８０文字が表記されている１ページは、１０縦列群３，３・・・に変換される。
【００１９】
図２は１行３文字で３６行で構成した縦列群３が一定の間隔４，４・・を隔てて３縦列群３，３・・・が１ページに表記されている。そこで、人は左側の縦列群３の上から下方へ視線を移動することで縦列群３に記載している内容を即座に理解することが出来る。１縦列群３を読み終えたならば、次の中央の縦列群３を上から下方へ視線を移動して読み取り、さらに右側の縦列群３を同じように読み取ることが出来る。
【００２０】
１行を３文字で構成するならば、視線を移動することなく３文字の内容を理解出来、下方の行へ視線を移動することが出来る。従って、視線は右方向へ移動することなく上から下方へ移動することで１縦列群３の内容が即座に理解出来ることから、速読することが可能と成る。
【００２１】
図２は１行３文字で構成した配列形態であるが、図３は１行５文字で縦列群３を構成した配列形態を示している。しかし、１行の文字数が多くなると視線を動かすことなく１行に記載されている内容を把握することは出来ないので、８文字が限度である。又、１行の文字数が少なくて１文字であれば、縦列群３，３・・・の数が多くなり過ぎて速読時間が長くなるといった問題が発生する。
【００２２】
一方、１行に１文字では熟語漢字が１行に収まらない為に、読み辛くなることから、１行２文字から８文字が適している。ところで、図１の文字配列を基にして、これを図２や図３に示す文字配列形態に変換することは、コンピュータによって簡単に行うことが出来る。１ページに１縦列群に変換するのであれば、今日市販されているワープロにて文字及び行数の変換を行なうことで可能と成る。
【００２３】
勿論、電子書籍や新聞、雑誌をパソコン上で従来の文字配列から本発明の文字配列に変換し、該パソコン上で読み取るならば、１ページに複数の縦列群を形成する必要はなく、１ページ１縦列群３に変換することで十分である。
【符号の説明】
【００２４】
１  文字
２  行
３  縦列群
４  間隔
【図１】
2011138234.tif 000003
【図２】
2011138234.tif 000004
【図３】
2011138234.tif 000005